(57)【特許請求の範囲】
【請求項１】
不同沈下した建物の土台２をジャッキアップするために、油圧ジャッキ２０のシリンダー２１に取り付ける金属製治具であって、
シリンダー２１に載置する平盤状の基台１１を形成し、基台１１の裏面に、シリンダー２１の頭部２１ａが嵌入される適宜深さの筒状部１２を設け、基台１１の後端に支持壁１３を立設し、支持壁１３に、土台２に削成した横穴３に先端を嵌入する金属棒１８が嵌挿される通孔１４を、その外周下端が基台１１の表面の水準レベルと同じとなる高さ位置に形成し、
所定の高さ持ち上げられた土台２と、基礎１との間の間隙に差し込む平盤状の差込盤１５を、支持壁１３から後方へ延びた状態に設けて構成した、建物の不同沈下の修復工事に用いる油圧ジャッキ用治具。
【請求項２】
筒状部１２の内側に、頭部２１ａの外径に適合した内径の管体で形成したアタッチメント１７を設けた、請求項１に記載の建物の不同沈下の修復工事に用いる油圧ジャッキ用治具。
【請求項３】
請求項１又は２に記載の油圧ジャッキ用治具１０を用いる不同沈下した建物の修復工法であって、
ジャッキアップを要する土台２の要所位置に横穴３を削成し、ジャッキアップ用油圧ジャッキ２０を基礎１の側壁に沿って要所位置に設置し、油圧ジャッキ２０のシリンダー２１に、頭部２１ａを筒状部１２に嵌入して治具１０を取り付け、通孔１４を横穴３に対向させ、治具１０の後方から通孔１４に嵌挿し、先端を横穴３に嵌入して金属棒１８をセットする。
次に、要所位置の油圧ジャッキ２０を同時に操作し、要所位置の水準レベルを確認しながら土台２をジャッキアップし、土台２を所定の高さ持ち上げ、水準レベルを回復した要所位置ではジャッキアップ作業を終了する。
さらに土台２のジャッキアップを要する要所位置では、治具１０の向きを反転した状態でシリンダー２１に取り付け、差込盤１５を土台２と基礎１との間の間隙に差し込み、油圧ジャッキ２０を再び操作して土台２をジャッキアップし、土台２が水準レベルを回復する高さ位置まで持ち上げてジャッキアップ作業を終了する。
以上の手順で土台２の水準レベルを回復する不同沈下した建物の修復工法。
【発明の詳細な説明】
【技術分野】
【０００１】
この発明は、軟弱地盤や地盤の液状化により、不同沈下して傾いた建物の水準レベルを回復する修復工事に関し、この修復工事に用いる油圧ジャッキ用治具及びこれを用いた不同沈下した建物の修復工法に関するものである。
【背景技術】
【０００２】
不同沈下して傾いた建物の水準レベルを回復する修復工事は、不同沈下の原因、地盤状況や施工環境を考慮し、これら条件に適した工法が採用される。現在、主に行われている不同沈下した建物の修復工法として、次のものがある。
１）基礎と土台を切り離し、土台を持ち上げて土台の水準レベルを修正する（例えば特許文献１）。
２）基礎と土台を切り離し、基礎を変更、打ち替えて基礎の水準レベルを修正する。
３）基礎下から基礎ごと持ち上げて基礎の水準レベルを修正する（例えば特許文献２）。
【０００３】
これらの工法は、１）から３）の順に工事が大掛かりとなり、工事期間が長期化し、工事コストが増大する。なお、不同沈下した建物の修復工事の前提として、沈下の原因を明確にし、「現時点で建物の沈下が止まっていること」を確認することが必要条件である。沈下が進行している状況では、地盤の補強工事が必要とされ、地盤補強の工法として、ウレタン樹脂を注入して地盤密度を高める等の最新工法が採られるが、この場合さらに工事期間の長期化、工事コストの増大を招く。
【先行技術文献】
【特許文献】
【０００４】
【特許文献１】特開２００７−２３１７０７号公報
【特許文献２】特開２００７−１８２７４１７号公報
【発明の概要】
【発明が解決しようとする課題】
【０００５】
比較的工事が大掛かりでない、上記１）基礎と土台を切り離し、土台を持ち上げて土台の水準レベルを修正する工法では、基礎と土台の間に、土台をジャッキアップするための部材を挿入する間隙が無く、基礎上面のコンクリートをハツッて数箇所を切り欠き、基礎と土台の間に間隙を形成している。そして、この間隙に鋼材等を挿通し、基礎を跨いで内側と外側に２基の油圧ジャッキを設置し、油圧ジャッキを同時に操作して土台を持ち上げる作業が行われている。したがって、この工法においても、工事に係る人員や油圧ジャッキ等の工具類の点数を要し、工事コストは安価ではない。
【０００６】
この発明は、基礎と土台を切り離し、土台を持ち上げて土台の水準レベルを修正する工法に関し、ジャッキアップを要する土台の要所位置で、１台の油圧ジャッキで土台を持ち上げることができ、その他の工具を不要とし、不同沈下した建物の修復工事を簡単に行える油圧ジャッキ用治具を提供することを目的とするものである。また、この治具を用い、基礎を始めとした建物の構造躯体に損傷を与えることがなく、大掛かりな解体工事も不要で、工事期間の短縮、工事コストの削減が可能な不同沈下した建物の修復工法を提案することを目的とするものである。
【課題を解決するための手段】
【０００７】
上記の目的を達成するため、この発明の建物の不同沈下の修復工事に用いる油圧ジャッキ用治具は、不同沈下した建物の土台２をジャッキアップするために、油圧ジャッキ２０のシリンダー２１に取り付ける金属製治具であって、シリンダー２１に載置する平盤状の基台１１を形成し、基台１１の裏面に、シリンダー２１の頭部２１ａが嵌入される適宜深さの筒状部１２を設け、基台１１の後端に支持壁１３を立設し、支持壁１３に、土台２に削成した横穴３に先端を嵌入する金属棒１８が嵌挿される通孔１４を、その外周下端が基台１１の表面の水準レベルと同じとなる高さ位置に形成する。そして、所定の高さ持ち上げられた土台２と、基礎１との間の間隙に差し込む平盤状の差込盤１５を、支持壁１３から後方へ延びた状態に設けて構成するものである。
【０００８】
また、この発明の油圧ジャッキ用治具は、上記の構成において、筒状部１２の内側に、頭部２１ａの外径に適合した内径の管体で形成したアタッチメント１７を設けるものである。
【０００９】
また、この発明の不同沈下した建物の修復工法は、上記の油圧ジャッキ用治具１０を用いる修復工法であって、ジャッキアップを要する土台２の要所位置に横穴３を削成し、ジャッキアップ用油圧ジャッキ２０を基礎１の側壁に沿って要所位置に設置し、油圧ジャッキ２０のシリンダー２１に、頭部２１ａを筒状部１２に嵌入して治具１０を取り付け、通孔１４を横穴３に対向させ、治具１０の後方から通孔１４に嵌挿し、先端を横穴３に嵌入して金属棒１８をセットする。次に、要所位置の油圧ジャッキ２０を同時に操作し、要所位置の水準レベルを確認しながら土台２をジャッキアップし、土台２を所定の高さ持ち上げ、水準レベルを回復した要所位置ではジャッキアップ作業を終了する。そして、さらに土台２のジャッキアップを要する要所位置では、治具１０の向きを反転した状態でシリンダー２１に取り付け、差込盤１５を土台２と基礎１との間の間隙に差し込み、油圧ジャッキ２０を再び操作して土台２をジャッキアップし、土台２が水準レベルを回復する高さ位置まで持ち上げてジャッキアップ作業を終了する。以上の手順で土台２の水準レベルを回復するものである。
【発明の効果】
【００１０】
この発明の油圧ジャッキ用治具は、ジャッキアップを要する土台２の要所位置で、１台の油圧ジャッキ２０で土台２を持ち上げることができ、その他の工具を不要とし、不同沈下した建物の修復工事を簡単に行うことができる。治具１０は、小型で安価に製作されるとともに、シリンダー２１の頭部２１ａを筒状部１２に嵌入し、金属棒１８を通孔１４に嵌挿するだけで、そのセッティング作業も容易であり、取り扱いや作業性に極めて優れるものである。
【００１１】
また、筒状部１２の内側に、頭部２１ａの外径に適合した内径の管体で形成したアタッチメント１７を設けて治具１０を形成すれば、治具１０の筒状部１２にシリンダー２１の頭部２１ａを可能な限り遊びが無く嵌入することができ、取付精度の向上が図られる。その結果、油圧ジャッキ２０の揚力を効率良く土台２に伝え、ジャッキアップ作業を確実且つ正確に行うことが可能となる。
【００１２】
また、治具１０を用いたこの発明の不同沈下した建物の修復工法は、要所位置の土台２に横穴３を削成するだけで、基礎を始めとした建物の構造躯体に損傷を与えることがなく、大掛かりな解体工事も不要で、騒音の発生、粉塵の飛散もない。さらに、金属棒１８をセットした第１段階のジャッキアップ作業と、差込盤１５を土台２と基礎１との間の間隙に差し込んだ第２段階のジャッキアップ作業により、各要所位置の土台２が水準レベルを回復する高さ位置まで確実且つ容易にジャッキアップすることができ、従来の修復工法に比べて大幅な工事期間の短縮、工事コストの削減が可能である。
【図面の簡単な説明】
【００１３】
【図１】油圧ジャッキ用治具の実施例で、（Ａ）左側面図、（Ｂ）正面図、（Ｃ）右側面図。
【図２】（Ａ）平面図、（Ｂ）底面図。
【図３】図１（Ａ）中、Ａ−Ａ線断面図。
【図４】ジャッキアップ用油圧ジャッキ２０に治具１０を取り付けた状態を示す断面図。
【図５】金属棒の（Ａ）正面図、（Ｂ）右側面図。
【図６】要所位置の土台に横穴を削成した状態の説明図。
【図７】ジャッキアップ用油圧ジャッキを要所位置に設置した状態の説明図。
【図８】油圧ジャッキに治具を取り付けた状態の説明図。
【図９】金属棒１８をセットした状態の説明図。
【図１０】土台が所定の高さ持ち上げられた状態の説明図。
【図１１】（Ａ）パッキン材てで土台を仮受けした状態、（Ｂ）治具を取り外した状態の説明図。
【図１２】治具の向きを反転した状態で油圧ジャッキに取り付けた状態の説明図。
【図１３】さらに土台が持ち上げられた状態の説明図。
【図１４】パッキン材で土台を仮受けし、油圧ジャッキを片付けてジャッキアップ作業を終了した状態の説明図。
【図１５】土台と基礎との間の間隙に補修モルタルを充填し、建物の修復工事を完了した状態の説明図。
【図１６】ジャッキアップする土台の要所位置を例示する説明図。
【図１７】筒状部の内側にアタッチメントを設けた治具の断面図。
【図１８】アタッチメントの組み立てを示す断面図。
【図１９】油圧ジャッキ用治具の他の実施例で、（Ａ）正面図、（Ｂ）平面図。
【発明を実施するための形態】
【００１４】
以下にこの発明の実施形態について、図面に基づいて具体的に説明する。
図１から３に、この発明の油圧ジャッキ用治具の実施例を示す。治具１０は強度と剛性を備えた金属製で、不同沈下した建物の土台２をジャッキアップするために、油圧ジャッキ２０のシリンダー２１に取り付け、建物の水準レベルを回復する修復工事に供するものである。治具１０は図に示す形状に形成され、シリンダー２１に載置する矩形平盤状の基台１１が形成され、基台１１の裏面に、シリンダー２１の頭部２１ａが嵌入される適宜深さの筒状部１２が設けられている。シリンダー２１の頭部２１ａの挿入が容易となるように、筒状部１２の内周面下端には面取り面１２ａが形成されている。
【００１５】
基台１１の後端に支持壁１３が立設され、支持壁１３の下半分は、筒状部１２の外周面後端が接している。支持壁１３の上半分に、土台２のジャッキアップ作業に用いる金属棒１８が嵌挿される通孔１４が、その外周下端が基台１１の表面の水準レベルと同じとなる高さ位置に形成されている。
【００１６】
支持壁１３から後方へ延びた状態に矩形平盤状の差込盤１５が設けられ、差込盤１５は、後述するように、所定の高さ持ち上げられた土台２と、基礎１との間の間隙に差し込まれる。基台１１の裏面前端には、筒状部１２の外周面前端が接する補強壁１６が設けられ、筒状部１２が支持壁１３と補強壁１６に前後で挟持され、ジャッキアップ作業時の荷重や負荷に抗するように剛性向上が図られている。
【００１７】
図４に、ジャッキアップ用油圧ジャッキ２０に治具１０を取り付けた状態を示す。図に示すように、治具１０は、筒状部１２の下端開口からシリンダー２１の頭部２１ａを嵌入し、基台１１がシリンダー２１に載置した状態で、上方から被せるようにシリンダー２１に取り付けられる。
【００１８】
図５に、土台２のジャッキアップ作業に用いる金属棒１８の形状を示す。図に示すように、金属棒１８は、先端に向かって３段階に縮径された、先段部１８ａ、中段部１８ｂ、後段部１８ｃから成る長尺棒状に形成され、最大径の後段部１８ｃが通孔１４に嵌挿されるように径が設定されている。
【００１９】
この治具１０を用いた不同沈下した建物の修復工事の手順を具体的に説明する。
最初に、図６に示すように、不同沈下して建物が傾斜し、ジャッキアップを要する土台２の位置を定め、この要所位置の土台２の側面から所定の水平深さの横穴３をドリルを用いて削成する。ジャッキアップする土台２のアンカーボルトの位置を目視又はセンサーで確認し、可能であればアンカーボルトを緩め、必要であればアンカーボルトを切断し、土台２と基礎１を切り離す。
【００２０】
次に、図７に示すように、ジャッキアップ用油圧ジャッキ２０を基礎１の側壁に沿って要所位置に設置する。油圧ジャッキ２０は、高さ調整台２３、耐圧面盤２４に載置し、基礎１の側壁との間に当て木２５を設け、ジャッキアップ作業時の荷重や負荷に対し、沈下，転倒、揺動することがないように安定した状態に設置する。この油圧ジャッキ２０のシリンダー２１に、図４で示したように治具１０を取り付け、通孔１４が横穴３に対向するように方向と高さ位置を調整する。
【００２１】
次に、金属棒１８をセットする。図８に示すように、治具１０の後方から金属棒１８を通孔１４に嵌挿し、ハンマー等で打設して横穴３に先端を嵌入する。図９に示すように、金属棒１８は、先段部１８ａが横穴３に埋設され、中段部１８ｂの先端が横穴３に嵌合し、後段部１８ｃが通孔１４に嵌合し、遊びが無いように剛性を保って治具１０にセットされる。
【００２２】
次に、要所位置の油圧ジャッキ２０を同時に操作し、土台２をジャッキアップする。ここで、要所位置の水準レベルの数値を確認しながら、建物壁面等に亀裂が生じないように慎重に油圧ジャッキ２０を操作し、均等且つ正確に土台２をジャッキアップする。図１０に、土台２が所定の高さ持ち上げられた状態を示す。
【００２３】
次に、図１１（Ａ）に示すように、土台２と基礎１との間にパッキン材４を挿入して土台２を仮受けし、金属棒１８を横穴３から脱抜し、図１１（Ｂ）に示すように、治具１０をシリンダー２１から取り外す。パッキン材４は、樹脂製、金属製、角材、合板等の任意の素材で形成される。このジャッキアップ作業で、水準レベルを回復した要所位置では土台２を本受けし、仕上げ作業へ移行する。
【００２４】
さらに土台２のジャッキアップを要する要所位置では、図１２に示すように、治具１０の向きを反転した状態でシリンダー２１に取り付け、土台２と基礎１との間の間隙に差込盤１５を差し込み、土台２の底面に差込盤１５が当接した状態にセットする。そして、油圧ジャッキ２０を再び操作し、土台２をジャッキアップする。ここで、差込盤１５は土台２の底面に広い面積が当接しているので、油圧ジャッキ２０の揚力が確実に作用し、土台２がさらに持ち上げられる。図１３に、土台２が水準レベルを回復する高さ位置まで持ち上げられた状態を示す。なお、このジャッキアップ作業で、土台２が転動することがないように、金属棒１８を通孔１４に嵌挿して横穴３に先端を嵌入し、金属棒１８を同時にセットしてもよい。
【００２５】
次に、図１４に示すように、土台２と基礎１との間にパッキン材４を挿入して土台２を仮受けし、油圧ジャッキ２０を取り除き、治具１０をシリンダー２１から取り外し、ジャッキアップ作業を終了する。このようにして水準レベルを回復した土台２を本受けし、緩めたアンカーボルトは締結し、アンカーボルトを切断した箇所には新たに接続金具を付設するなどし、土台２を基礎１に堅固に固定する。最後に、図１５に示すように、土台２と基礎１との間の間隙に補修モルタル５を充填し、コテ仕上げして不同沈下した建物の修復工事を完了する。
【００２６】
図１６に、土台２のジャッキアップ作業において油圧ジャッキ２０を設置する要所位置を例示する。図に示すように、建物の柱６の下位置Ａ、Ｂ、Ｃに油圧ジャッキ２０を設置することで、図中矢印で示すように、油圧ジャッキ２０の揚力が建物に確実に伝わり、各要所位置で均等に油圧ジャッキ２０を操作し、軽い揚力で土台２のジャッキアップ作業を行うことができる。
【００２７】
図１７に、筒状部１２の内側にアタッチメント１７を設けた治具１０を示す。油圧ジャッキ２０の揚力を効率良く土台２に伝え、ジャッキアップ作業を確実且つ正確に行うためには、治具１０の筒状部１２にシリンダー２１の頭部２１ａを可能な限り遊びが無く嵌入することが求められる。アタッチメント１７は、頭部２１ａの外径に適合した内径の管体で形成されているので、取付制度の向上が図られる。図１８に示すように、筒状部１２の下端開口から筒状部１２に挿入され、シリンダー２１の頭部２１ａをアタッチメント１７に嵌入し、治具１０がシリンダー２１に取り付けられる。シリンダー２１の頭部２１ａの挿入が容易となるように、アタッチメント１７の内周面下端には面取り面１７ａが形成されている。
【００２８】
図１９に、油圧ジャッキ用治具の他の実施例を示す。この治具１０は、差込盤１５の幅Ｌ２を基台１１の幅Ｌ１の略２倍の値とし、差込盤１５を幅広に形成したものである。このように形成したので、差込盤１５は土台２の底面により広い面積が当接し、油圧ジャッキ２０の揚力の作用を確実にすることができる。また、土台２が入り隅の場合、隅部には柱が立設されているが、幅広の差込盤１５はこの柱位置の土台２の底面に差し込まれ、入り隅の土台２も容易にジャッキアップすることができる。
【符号の説明】
【００２９】
１  基礎
２  土台
３  横穴
１０  治具
１１  基台
１２  筒状部
１３  支持壁
１４  通孔
１５  差込盤
１７  アタッチメント
１８  金属棒
２０  油圧ジャッキ
２１  シリンダー
２１ａ  頭部
【図１】
0005540044.tif 000002
【図２】
0005540044.tif 000003
【図３】
0005540044.tif 000004
【図４】
0005540044.tif 000005
【図５】
0005540044.tif 000006
【図６】
0005540044.tif 000007
【図７】
0005540044.tif 000008
【図８】
0005540044.tif 000009
【図９】
0005540044.tif 000010
【図１０】
0005540044.tif 000011
【図１１】
0005540044.tif 000012
【図１２】
0005540044.tif 000013
【図１３】
0005540044.tif 000014
【図１４】
0005540044.tif 000015
【図１５】
0005540044.tif 000016
【図１６】
0005540044.tif 000017
【図１７】
0005540044.tif 000018
【図１８】
0005540044.tif 000019
【図１９】
0005540044.tif 000020